(57)【要約】【課題】  選定者側で自由に建築塗料の色を選択できるようにし、かつ、選択された色と実際に使用される建築塗料との比較判断を可能にした建築塗料選定システムを提供すること。【解決手段】  ネットワーク上に設置されるサーバー上に構成され、このサーバーに格納されるモニター画面表示用のファイルと、この表示用ファイルに付随するデータファイルやプログラムファイルを中核として構成される建築塗料選定システムであって、塗装対象となる建築物を選定者に選択させ表示させる手段２２，５０と、選択された建築物における塗装部位を選定者に選択させる手段２４と、選択された塗装部位に塗装すべき色を選定者に選択させるために、色が連続的に変化した状態で表示される選択色表示部を提供する手段２６，５１と、選択色に最も近い建築塗料提供者が提供する塗料色を抽出する手段２８と、選定者による選択色と、抽出された塗料色とを並べて表示させる手段５２と、表示されている建築物の塗装部位の色を選択色又は塗料色に変換して表示させる手段３３とを備えた。【選択図】  図４
2005258921.tif 000002
【特許請求の範囲】
【請求項１】
ネットワーク上に設置されるサーバー上に構成され、このサーバーに格納されるモニター画面表示用のファイルと、この表示用ファイルに付随するデータファイルやコンピュータプログラムを中核として構成される建築塗料選定システムであって、
塗装対象となる建築物を選定者に選択させ表示させる手段と、
選択された建築物における塗装部位を選定者に選択させる手段と、
選択された塗装部位に塗装すべき色を選定者に選択させるために、色が連続的に変化した状態で表示される色表示部を提供する手段と、
前記選択色に最も近い建築塗料提供者が提供する塗料色を抽出する手段と、
選定者による選択色と、抽出された塗料色とを並べて表示させる手段と、
表示されている建築物の塗装部位の色を前記選択色又は前記塗料色に変換して表示させる手段とを備えたことを特徴とする建築塗料選定システム。
【請求項２】
選択された塗装部位の模様を選択させるための多種類の模様を表示する模様表示部を提供する手段と、
選択された模様の色が前記塗料色となるように連動させる手段とを備えていることを特徴とする請求項１に記載の建築塗料選定システム。
【請求項３】
請求項１又は２に記載の建築塗料選定システムを構築するために、サーバーに格納される建築塗料選定プログラムであって、
前記色表示部において選択された色に最も近い建築塗料提供者が提供する塗料色を抽出する処理と、
選定者による選択色と、抽出された塗料色とを並べて表示させる処理と、
表示されている建築物の塗装部位の色を前記選択色又は前記塗料色に変換して表示させる処理とをコンピュータに実行させることを特徴とする建築塗料選定プログラム。
【請求項４】
選択色と塗料色との関係を予め定めたテーブルに基づいて塗料色の抽出処理を実行させるようにした請求項３に記載の建築塗料選定プログラム。
【請求項５】
選択色と塗料色との色差データを演算して求め、この色差が最も小さくなるような塗料色を抽出する処理を実行させるようにした請求項３に記載の建築塗料選定プログラム。
【請求項６】
求められた色差が所定レベルよりも大きくなる場合は、塗料色の抽出が不可である旨の表示する処理を実行させるようにした請求項５に記載の建築塗料選定プログラム。
【発明の詳細な説明】
【技術分野】
【０００１】
本発明は、ネットワーク上に設置されるサーバー上に構成され、このサーバーに格納されるモニター画面表示用のファイルと、この表示用ファイルに付随するデータファイルやプログラムファイルを中核として構成される建築塗料選定システム及びこのシステムで用いられる建築塗料選定プログラムに関するものである。
【背景技術】
【０００２】
家屋やマンション等の建築物の塗装を行う場合、塗料の種類、色、パターン等の選定については、塗装工事を請負う施工者側と、塗装を依頼する施主側との間で、色見本を見ながら両者で相談して決めている。建築物の塗装部位は、屋根、壁、窓枠、玄関周りなど複数箇所あり、色見本も多数種類が施工者側で用意されている。従って、塗料の選択の組み合わせは、無数というべきほど数多くあり、色見本を見ながらの相談で決めることは難しい面がある。また、個々の塗装部位の色を決めたとしても、建築物全体として見た場合にどのような仕上がりになるのか、イメージを思い浮かべることが難しい。かかる点に鑑みて、塗装後の建築物の外観をシミュレートする方法がいくつか知られており、例えば、下記特許文献１，２，３が例としてあげられる。
【０００３】
特許文献１に開示されるカラー塗装設定方法では、選定者に対象物（建築物）についてのイメージ項目を選択させ、この選択事項の総合判定として、メモリ等から配色設計情報を画面表示させるものである。この方法は、塗料提供者が予め用意しておいたものを選定者に選定させる方法であり、選定者が直接的に色を決めることができるものではない。選定者が選択したイメージに合致した色合いの建築物を求めるまでに時間がかかる可能性もある。
【０００４】
特許文献２に開示される塗装選定方法は、住宅タイプの選定と、モデルの配色イメージを選定し、各塗装部位の配色を順番に選定していく。各塗装部位の配色の選択は、モニター画面上に表示される複数のカラーパレットから１つを選択するように構成されており、選定者が選択できる色の種類が限られているという問題がある。
【０００５】
特許文献３に開示される構造物の意匠提供方法は、ホームページに構造物の意匠見本を格納するものであり、意匠提供者が制作して格納するものである。
【特許文献１】特許第３０６７７４６号
【特許文献２】特開２００２−３４２４０５号
【特許文献３】特開２００３−５８６００号
【発明の開示】
【発明が解決しようとする課題】
【０００６】
以上のようにコンピュータ画面上で建築物の外観塗装仕上がりをシミュレートする方法は、種々知られているが施主側を十分に満足させるシステムであるとは言うことができない。すなわち、 提供者側が予め配色したものを提供する形態では、真に施主側が満足するような外観塗装のシミュレートを行うことが困難であり、また時間もかかると思われる。カラーパレットによりフルカラーを選択できるようにする方法も考えられるが、パレット数が膨大になるため現実的な構成ではない。更に、仮にコンピュータ画面上でフルカラーを選択できたとしても、建築塗料を提供する側ですべての色に対して対応できるだけの製品（塗料）が用意されているとは限らない。従って、施主側で希望の色を選択したとしても、実際に使用される建築塗料の色が異なっていれば、後でトラブルが発生する原因にもなる。
【０００７】
本発明は上記実情に鑑みてなされたものであり、その課題は、選定者側で自由に建築塗料の色を選択できるようにし、かつ、選択された色と実際に使用される建築塗料との比較判断を可能にした建築塗料選定システム及びプログラムを提供することである。
【課題を解決するための手段】
【０００８】
上記課題を解決するため本発明に係る建築塗料選定システムは、
ネットワーク上に設置されるサーバー上に構成され、このサーバーに格納されるモニター画面表示用のファイルと、この表示用ファイルに付随するデータファイルやコンピュータプログラムを中核として構成される建築塗料選定システムであって、
塗装対象となる建築物を選定者に選択させ表示させる手段と、
選択された建築物における塗装部位を選定者に選択させる手段と、
選択された塗装部位に塗装すべき色を選定者に選択させるために、色が連続的に変化した状態で表示される色表示部を提供する手段と、
前記選択色に最も近い建築塗料提供者が提供する塗料色を抽出する手段と、
選定者による選択色と、抽出された塗料色とを並べて表示させる手段と、
表示されている建築物の塗装部位の色を前記選択色又は前記塗料色に変換して表示させる手段とを備えたことを特徴とするものである。
【０００９】
この構成による建築塗料選定システムの作用・効果を説明する。本システムは、インターネット等のネットワークにサーバーが設置され、このサーバー上に構築されるものである。シミュレーションを行いたい場合は、このサーバーから必要なファイルやデータをダウンロードすることで行うことができる。選定者は、塗装対象となる建築物を選択する。これは一戸建家屋、マンション、アパート等の選択だけでなく、同じ家屋でも色々な態様の家屋を選択できるようにすることが好ましい。なお、選定者自身が作成した建築物データを使用できるように構成すれば、更に好ましい。
【００１０】
選定者は、建築物を選択した後、その建築物の塗装部位を選択する。塗装部位とは、例えば、屋根、壁、窓枠等である。この塗装部位に塗装したい色を選定者に選定させるため色表示部がコンピュータ画面上に提供される。この表示部には、色が連続的に変化した状態で表示されており、選定者は好みの色を自由に選択することができる。すなわち、 選択可能な色の範囲が従来技術に比べて広範囲に設定することができる。「連続的」というのは、必ずしも無段階であることを意味するものではなく、人間の目で見て連続的な態様で表示されていれば足りるものである。選定者により色が選択されると、この選択色に対応した（最も近い）色を有する塗料色を抽出させ、これらの選択色と塗料色とを並べて表示させる。これにより、選定者は、予め実際に使用される塗料色と自分が選択した色との違いを確認することができる。この違いについて納得できなければ、選択色を選択しなおすなどの対応を採ることができる。
【００１１】
コンピュータ画面上では、建築物の塗装部位の色を選択色又は塗料色に変換して表示させる。表示はいずれか一方の色のみでも良いが、両方の色で確認できるように構成しておくことが好ましい。塗装部位の色を変換させることで、外観塗装の事前確認ができる。その結果、選定者側で自由に建築塗料の色を選択できるようにし、かつ、選択された色と実際に使用される建築塗料との比較判断を可能にした建築塗料選定システムを提供することができる。
【００１２】
本発明における色表示部としては色を表わす第１要素・第２要素・第３要素に基づいて次のように構成することができる。これら３要素としては、マンセル表示系の「色相」「明度」「彩度」、カラー３原色による「Ｒ」「Ｇ」「Ｂ」、ＣＩＥ  Ｌ*ａ*ｂ*空間における「Ｌ*」「ａ*」「ｂ*」が例としてあげられる。３つの要素として「色相」「明度」「彩度」を用いる場合、
（１）「色相」「明度」を２次元的に表わしたバー（連続的に変化して表示されるものを含む。以下同じ）と「彩度」バーの組み合わせ、
（２）「明度」「彩度」を２次元的に表わしたバーと「色相」バーとの組み合わせ、
（３）「彩度」「色相」を２次元的に表わしたバーと「明度」バーとの組み合わせ、
（４）「色相」バー、「明度」バー、「彩度」バーをそれそれ設ける、等の方法を採用することができる。
【００１３】
「Ｒ」「Ｇ」「Ｂ」の場合も同様に、
（１）「Ｒ」「Ｇ」を２次元的に表わしたバーと「Ｂ」バーの組み合わせ、
（２）「Ｇ」「Ｂ」を２次元的に表わしたバーと「Ｒ」バーとの組み合わせ、
（３）「Ｂ」「Ｒ」を２次元的に表わしたバーと「Ｇ」との組み合わせ、
（４）「Ｒ」バー、「Ｇ」バー、「Ｂ」バーをそれそれ設ける、等の方法を採用することができる。Ｌ*ａ*ｂ*空間の場合も同様である。
【００１４】
本発明に係る色表示部は、明度が連続的に変化して表示される明度表示エリアと、色相・彩度が連続的に変化して表示される色相・彩度表示エリアとを有しており、明度表示エリアにおいて指定された明度値と、色相・彩度表示エリアにおける全体のトーンとを連動させる手段を備えたことが好ましい。
【００１５】
明度表示エリアとしては、例えば、連続的に変化するグレースケールを表示させることができる。色相・彩度表示エリアでは、任意の色を自由に選択することができる。明度表示エリアにおける特定の明度値を選択すると、この選択された明度値に応じて、色相・彩度表示エリアの全体のトーンが連動して変化する。これにより、選定者は任意の色を任意に選択可能になる。
【００１６】
本発明に係る明度表示エリア及び色相・彩度表示エリアは、明度及び色相・彩度が連続的に変化するバー状に表現されていることが好ましい。かかる構成にすれば、選定者は、例えばバーに沿ってマウスを移動させ、バー上の任意の箇所を選択することができる。また、色の選択操作を簡易化することができる。
【００１７】
本発明に係るシステムは、選択された塗装部位の模様を選択させるための多種類の模様を表示する模様表示部を提供する手段と、
選択された模様の色が前記塗料色となるように連動させる手段とを更に備えていることが好ましい。
【００１８】
塗装部位に使用される部材には、単に色を付するだけではなく、種々の模様も付されることが多い。そこで、多数種の模様の中から１つを選択できるように構成することが好ましい。また、この選択された模様と塗料色とを組み合わせて表示することで、より正確なシミュレーションを行うことができる。
【００１９】
本発明に係る建築塗料選定システムを構築するために、サーバーに格納される建築塗料選定プログラムは、
前記色表示部において選択された色に最も近い建築塗料提供者が提供する塗料色を抽出する処理と、
選定者による選択色と、抽出された塗料色とを並べて表示させる処理と、
表示されている建築物の塗装部位の色を前記選択色又は前記塗料色に変換して表示させる処理とをコンピュータに実行させることを特徴とするものである。
【００２０】
かかるコンピュータプログラムによる作用・効果は、既に述べた通りである。なお、このプログラムの格納形態については、特定の形態に限定されるものではない。サーバーから選定者のコンピュータにプログラムをダウンロードして、選定者のコンピュータで実行されるようなタイプでもよいし、プログラムはサーバー内に置かれたままにしておき、選定者のコンピュータからの指令に基づいてサーバー側で演算処理を行い、その結果を選定者側に送信して表示させるような仕組みを採用しても良い。
【００２１】
本発明において、選択色と塗料色との関係を予め定めたテーブルに基づいて塗料色の抽出処理を行うようすることが好ましい。かかるテーブルにより、選択色と塗料色とを一対一で対応させておけば、直ちに対応する塗料色を抽出することができる。
【００２２】
本発明において、選択色と塗料色との色差データを演算して求め、この色差が最も小さくなるような塗料色を抽出する処理を行うようにすることが好ましい。すなわち、 テーブルにより対応するのではなく、色差を演算することで対応する塗料色を抽出することができる。
【００２３】
上記の場合において、求められた色差が所定レベルよりも大きくなる場合は、塗料色の抽出が不可である旨の表示をさせる処理を行うことが好ましい。
【００２４】
本発明においては、色を自由に選択できるものの、建築用にはふさわしくないような色が選択されることもありうる。従って、選択色と塗料色との色差が大きすぎるような場合は、塗料色の抽出ができない旨を表示させるほうが好ましいと考えられる。
【発明を実施するための最良の形態】
【００２５】
本発明に係る建築塗料選定システムの好適な実施形態を図面を用いて説明する。図１は、システムの概要を示す概念図、図２は、システムの機能を示すブロック図である。
【００２６】
＜システムの構成＞
図１において、建築塗料を提供する提供者により管理されるサーバー１と、建築物の外観塗装のシミュレーションを行う施主側の所有するパソコン２とがインターネット３等のネットワークにより接続可能に構成されている。サーバー１には、インターネット３を経由してアクセスしてきたパソコン２に対して、ホームページ等の種々のＷｅｂページを提供する機能を有しており、Ｗｅｂページデータが多数格納されている。建築塗料選定システムに供されるＷｅｂページも格納されている。施主側は、パソコン２のブラウザを立ち上げて、外観塗装のシミュレーションを行うためのＷｅｂページをダウンロードすることができる。
【００２７】
図２において、サーバー１の構成から説明する。サーバー１は、データ送受信部１０を備えており、インターネット３を介してデータのやり取りを行う。データ処理部１１は、インターネット３経由で送信されてきたデータの解釈を行い、必要な処理を実行する。例えば、Ｗｅｂページの要求であれば、その要求に係るＵＲＬに対応したＷｅｂページをデータ要求元のパソコン２に送信する。また、画像ファイルやプログラムファイルの要求であれば、それらが格納されているディレクトリからファイルやプログラムを読み出し、要求元パソコン２へと送信する。
【００２８】
Ｗｅｂページ格納部１２には、ホームページや種々のＷｅｂページをアクセスしてきたパソコン２のモニター画面に表示させるためのＷｅｂページデータがＨＴＭＬファイルの形態で格納されている。パソコン２により要求されたＵＲＬのファイルが送信されることになる。データファイル格納部１３には、Ｗｅｂページを構成するためのデータファイルが多数格納されている。データファイルとしては、Ｗｅｂページの中に表示される画像の画像ファイルが例としてあげられる。プログラムファイル格納部１４には、Ｗｅｂページの中あるいはＷｅｂページとは別ウィンドウで実行されるプログラムが格納されている。これらデータファイルやプログラムファイルは、ＨＴＭＬ文書の中でリンクさせるように記述することができる。
【００２９】
次に、パソコン２の内部に構築される機能について説明する。パソコン２内部の機能は、サーバー１からダウンロードしたデータやプログラムに基づいて構築されるものである。図中２０で示される範囲は、サーバー１からダウンロードしたデータやプログラムと、主としてパソコン２にインストールされているブラウザの有する機能に基づいて実現することができる。図３及び図４は、サーバー１からダウンロードしたＷｅｂページの構成例を示す図である。図３は、選定者（施主側のパソコン２の操作者）が建築物を選択するためのＷｅｂページ構成例である。図４は、外観塗装シミュレーションを行うためのＷｅｂページ構成例である。
【００３０】
データ送受信部２１は、インターネット３を介してサーバー１等の他のコンピュータとデータのやり取りを行う。建築物選択手段２２は、選定者にシミュレーションを行いたい建築物を選択させる機能を有する。具体的には、図３に示すＷｅｂページデータにより提供される機能である。多数の建築物の画像を表示させるための建築物データファイル２３が設けられている。建築物の画像は、所定のファイル形式の画像ファイルとして格納されている。実際に１つの建築物が選択されると、図４の画面において、建築物表示部５０に選択された建築物が表示される。
【００３１】
塗装部位選択手段２４は、選択された建築物の塗装部位を選択させる機能を有する。塗装部位とは、例えば、屋根、壁、玄関、窓枠、ベランダ等である。選定者は、各部位について順番に塗装色を選定して行くことができる。同じ壁でも１階と２階とで異なる色にする場合は、異なる塗装部位として扱われる。建築物の画像において、塗装部位をどのように区画するかについては、予め塗装部位データファイル２５に設定されている。これは個々の建築物について、夫々個別に塗装部位の区分け方が予め設定されている。
【００３２】
選択色表示部提供手段２６は、図４の選択色表示部５１（色表示部）を提供する機能を有する。選択色表示部５１は、色相・彩度表示バー５１ａと明度表示バー５１ｂとを有している。色相・彩度表示バー５１ａは、色相・彩度が２次元的かつ連続的に変化した状態で色が表示されている。連続的というのは、必ずしも無段階に変化することを意味するものではなく、人間の目で見て連続的であると視覚的に訴えるものであれば足りる。明度表示バー５１ｂには、明度が連続的に変化した状態で表示されており、いわゆるグレースケールと称されるものである。明度の連続的な表示も色相・彩度の場合と同様に人間の目で連続的であると判断できるものでよい。また、色相・彩度表示バー５１ａで表示される色相・彩度と、明度表示バー５１ｂで指定された明度とは連動しており、指定された明度値に応じて色相・彩度表示バー５１ａの全体のトーンが変化する。これは色演算プログラム２７に基づくものであり、指定された明度値に対応して表示される色データを演算しなおしている。このように、色相・彩度表示バー５１ａと明度表示バー５１ｂとの組み合わせにより、フルカラーに対応することができる。明度や色相・彩度の選択については、明度表示バー５１ｂの上をマウスを移動させて適宜の箇所でクリックすれば、明度を指定できる。色相・彩度についても同様である。
【００３３】
塗料色抽出手段２８は、選択された色相に最も近い塗料色（建築塗料を提供するメーカーが用意しているもの）を抽出する機能を有する。本発明による選択色表示部５１では、フルカラーに対応することができ、選定者は好みの色を自由に選択することができる。しかしながら、建築塗料では耐候性等の塗膜物性を考慮して塗料設計（顔料の選択、配合量の決定等）が行われているため、建築塗料メーカーにおいて、すべての色に対応した建築塗料を提供できるわけではない。従って、選定者の選択した色と同じ塗料色の建築塗料を提供できるとは限らない。そこで、選定者による選択色に最も近い塗料色を抽出するようにしている。
【００３４】
選択色・塗料色表示部提供手段２９は、選択色と塗料色とを並べて表示させる表示部を提供する機能を有する。図４において、図番５２にその表示部の構成例が示される。選択色表示エリア５２ａと塗料色表示エリア５２ｂが設けられ、選択色及び塗料色がサムネイル画像として表示される。選定者は、この表示部５２を見ることで、自分が選択した選択色と、実際に使用される建築塗料の塗料色とを比較判断することができる。このような違いを予め選定者に認識させることで、後々のトラブルを回避することができる。なお、建築塗料提供者の用意しているほかの塗料色について確認をしたい場合は、表示部５２におけるリンクエリア５２ｃをクリックすれば、別途確認できる。リンクエリア５２ｃをクリックすることで、別のＷｅｂページがサーバー１からダウンロードされて表示されるようにすることもできる。
【００３５】
選択色に最も近い塗料色を抽出する方法としては、少なくとも２通り考えられる。まず、テーブルデータファイル３０を予め作成しておく方法である。色相データと、メーカー塗料色データ（例えば、適宜のＩＤを付与しておく）との関係を予め定めておき、これをテーブル化しておく。これにより、選択された選択色に対応する塗料色をただ１つ抽出するようにできる。塗料データベース３２には、メーカーが提供する建築塗料に関するデータがデジタルベース化されている。指定されたＩＤに対応した塗料色のデータを抽出することができる。塗料色データは、Ｒ，Ｇ，Ｂの３原色カラーデータとして表現することができる。
【００３６】
塗料色を抽出するもう１つの手法は、選択色と塗料色の色差を演算して求めることである。選択色も塗料色も共に３原色のカラーデータとして表現でき、その色差データも演算して求めることができる。そこで、選択された選択色に対して、最も色差が小さくなるような塗料色を抽出し、これを表示させることができる。これについては、プログラムにより演算手段３１を構成することで、色差の演算を行うことができる。
【００３７】
色変換手段３３は、建築物表示部５０に表示されている建築物の塗装部位について、抽出された塗料色となるように色変換処理を行う。色相の選定作業を行う前は、建築物の各塗装部位の色は、デフォルト値（例えば、白色）に設定されている。図４は、すべての塗装部位について、デフォルト値の状態の表示例を示している。ちなみに、図５は、屋根のみ色の選択作業を行った状態を示す。
【００３８】
一覧表作成手段３４は、選択した塗装部位の塗料色についての一覧表を作成する機能を有する。図４において、一覧表表示部５３には、既に選択済みの塗装部位及び塗料色（対応する製品名とパターン、色相）が表示されている。
【００３９】
模様表示部提供手段３５は、模様表示部５４（図４参照）を提供する機能を有する。図例では、建築塗料メーカーが提供する模様（パターン）のいくつかがサムネイル画像として表示されている。現在、色の選択作業を行っているのは、「壁Ｂ」についてであるから模様の選択も壁にふさわしいものがいくつか表示される。選定者は、提供されている模様の中から１つを選択することができ、例えば、５４ａで表示されている模様をクリックすれば、選択した模様が下部エリア５４ｂに拡大表示される。表示部５０や塗料色表示エリア５２ｂについても選択した模様が付された状態で表示される。模様表示部５４の下方には、選択した模様についての製品名とパターン名が表示されるエリア５４ｃと、製品説明用のボタン５４ｄが設けられる。ボタン５４ｄをクリックすることで、選択した模様に関する製品説明のページを開くことができる。模様に関するデータは、模様データファイル３６に格納されている。なお、模様を付さない場合は、模様表示部５４における模様の選択を行わなくても良い。例えば、屋根には模様をつけない。
【００４０】
塗装部位に模様を付けることができない場合や（屋根など）、模様を付けることができる場合であっても付さない場合には、模様表示部５４のエリアは、製品を選択させるための手段や、製品を表示させるためのエリアとして利用することが好ましい。例えば、パターンの一覧を表示させる代わりに、推奨製品の一覧を表示させることができる。
【００４１】
一覧表表示部５３には、塗装部位表示エリア５３ａと、製品名表示エリア５３ｂと、パターン名表示エリア５３ｃと、色相・彩度表示エリア５３ｄとが設けられている。この一覧表は、各塗装部位についての色の選定作業が終了すると、空欄が埋められていく形になる。資料請求ボタン５５をクリックすると、一覧表に示されている各製品についての資料を請求するためのページに移行する。
【００４２】
入力操作部４は、キーボードやマウス等により構成され、シミュレーションを行うための指令を与えることができる。表示制御部５は、モニター６に画面表示するための表示データの生成等を行う。連動プログラム７は、ブラウザと連動してシミュレーションを行うために必要なコンピュータプログラムである。例えば、３次元画像表示のためのプログラムや動画表示のためのプログラムである。
【００４３】
建築物表示部５０に表示されている画像は二次元画像であるが、これを三次元画像として表示させるようにすることが好ましい。これにより、正面からは見えにくい側面や背面側についても種々の角度から外観塗装の状態を確認することができる。また、建築物の指定された部位を拡大して表示できるようにできることが好ましい。
【００４４】
選択色・塗料色表示部５２の下方には、標準色見本色表示部５６が設けられている。この標準色見本としては、例えば、社団法人日本塗料工業会が作成したものを使用することができる。標準色見本に基づいて調色可能な色であれば、この表示部５６に表示させて比較することができる。ここに表示される色データに関しても、塗料色表示エリア５２ｂの場合と同様の方法で抽出することができる。
【００４５】
図２のパソコン２に示される各手段は、ＨＴＭＬファイルに記述されたデータに基づいて構成することができる。また、データファイルやデータベース等は、フォルダ内に保存することができる。
【００４６】
＜シミュレーション手順＞
次に、外観塗装のシミュレーションを行う場合の手順を図６，７のフローチャートにより説明する。選定者（施主側）は、パソコン２のブラウザを立ち上げて、建築塗料メーカーのホームページにアクセスし、Ｗｅｂページをダウンロードして表示させる（＃１）。次に、シミュレーションを行うためのＷｅｂページに移行する（＃２）。図３に示すように、このページでシミュレーションの対象となる建築物を選択する（＃３）。建築物を選定することで、図４に示すページに移動することができる。
【００４７】
次に、塗装部位の選択を行う（＃４）。塗装部位の選択順序は任意に決めることができる。図４の例では「屋根」「壁Ａ」「壁Ｂ」「階段壁」の４つが塗装部位として予め設定されている。塗装部位の選択方法としては、例えば、塗装部位選択部５１ｃ（図４参照）を設けて選択させる方法や、一覧表表示エリア５３ａに表示された塗装部位の１つをクリックする方法や、表示部５０に表示された建築物の塗装したい箇所をクリックする方法などがあげられる。あるいは、建築物ごとに順序も予め設定しておいても良い。
【００４８】
塗装部位の設定がされると、パターン付けが不能な箇所であるか否かを判断する（＃５）。例えば、屋根や破風等はパターン付けができないように設定されている。パターン付けが可能な箇所（上記の屋根や破風以外）であれば、パターン付けをするか否かを選択する（＃６）。パターンをつける場合は、模様表示部５４の表示される各パターンの中からパターンを選択する（＃７）。既述したようにパターンを付けないような選択も可能である。パターンをつけない場合は、直ちにステップ＃８に移行する。
【００４９】
ステップ＃６でパターン付けを行わない方を選択した後、あるいは、ステップ＃７でパターンを選択した後、ステップ８で製品の選択を行う。製品説明を見る場合は（＃９）、製品説明ボタン５５をクリックすれば、そのページに移行し製品の内容を確認することができる（＃１０）。
【００５０】
次に、色の選択を行う（＃１１）。選択色表示部５１において、色相・彩度表示バー５１ａ及び明度表示バー５１ｂの上をマウスで操作し、所望の色を選択する。この選択動作に連動して、メーカーの提供する塗料色が抽出される（＃１２）。また、この抽出された塗料色となるように、建築物表示部５０における塗装部位の色が変換される（＃１３）。なお、パターン付けを選択している場合は、そのパターンと塗料色との組み合わせに基づいて塗装部位の色が変換される。
【００５１】
表示部５０に表示されている建築物について三次元画像として確認したい場合は、所定のボタンをクリックすることで画面表示させることができる（＃１４，１５）。選択色及び抽出された塗料色の情報は、一覧表表示部５３に表示される（＃１６）。これにより、選択した色や製品名等を確認しながらシミュレーションを行うことができる。塗装部位の選択をすべて終了していなければ、ステップ＃４に戻り、同様の手順を行う（＃１７）。すべて終了すれば、画面の印刷を行うことができる（＃１８）。その後、ボタン５５をクリックして製品の資料請求ページへと移行し、所定の手続を行う（＃１９）。
【００５２】
図６，７のフローチャートに示す手順は一例を示すものであり、各ステップはこの順番通りに行われなくてもよい。ステップの順序は、適宜変えることができる。また、一度選択した色についても何度でもやり直しを行うことができる。
【００５３】
＜別実施形態＞
本実施形態では、建築物の選択は予め施工者側で用意したものに基づいて行うようにしているが、施主側（選定者側）が建築物のデータを提供し、これに基づいてシミュレーションを行えるようにしても良い。この場合、建築物の塗装部位の区分けも施主側で行えるようにすることが好ましい。建築物のデータや塗装部位のデータは、例えば、建築用ＣＡＤに基づいて作成したデータを用いることができる。
【００５４】
本実施形態では、図２に示すように、必要なデータやプログラムをすべてパソコン２側にダウンロードする構成を説明したが、これに限定されるものではない。サーバー１にＣＧＩシステム１５を構成し、サーバー側で作動するプログラム演算処理部１６を設けることで構成することもできる。プログラムにより行われる演算の一部をサーバー１で行わせてもよい。また、データベースやデータファイルについても、サーバー側に置いた状態としてもよい。この場合は、サーバー側での検索結果や演算結果をサーバー１からパソコン２へとＨＴＭＬファイルの形式で送信することになる。また、パソコン２側で動作させるプログラムは、ブラウザにより実行されるタイプ（スクリプト形式）のものでもよいし、ブラウザとは独立して実行される形式のものでも良い。例えば、マクロメディア社製のショックウェーブプレーヤー（登録商標）やフラッシュプレーヤー（登録商標）をプラグインに使用して、ブラウザで画像を表示させることができる。
【００５５】
建築物表示部５０において表示される塗装部位の色は、メーカーが提供する塗料色により表示するようにしているが、選定者が選択した選択色により表示するようにしても良い。あるいは、選択色で表示させるか塗料色で表示させるかを選択的に切替可能に構成しても良い。
【００５６】
本実施形態では、塗料色表示エリア５２ｂにメーカーの提供する塗料色を表示させているが、塗料色と選択色との色差が所定レベルよりも大きい場合は、塗料色の表示を行わず、塗料色を抽出できない旨を表示するようにしてもよい。
【００５７】
本実施形態では模様表示部５４に各模様（パターン）を表示させているが、模様の選択を行わないときは模様の表示を行う必要がないので、別の表示を行うことができる。例えば、既に説明したように推奨製品の一覧の表示や、メーカーの新製品などの宣伝広告を静止画や動画を用いて表示することができる。
【図面の簡単な説明】
【００５８】
【図１】建築塗料選定システムの構成を示す概念図
【図２】建築塗料選定システムの機能を示すブロック図
【図３】建築物を選択するためのＷｅｂページ構成例
【図４】外観塗装シミュレーションを行うためのＷｅｂページ構成例
【図５】屋根のみについて塗料色に変換された状態を示す図
【図６】外観塗装シミュレーションを行うときの手順を示すフローチャート（１）
【図７】外観塗装シミュレーションを行うときの手順を示すフローチャート（２）
【符号の説明】
【００５９】
１        サーバー
２        パソコン
１２      Ｗｅｂページ格納部
１３      データファイル格納部
１４      プログラムファイル格納部
２２      建築物選択手段
２３      建築物データファイル
２４      塗装部位選択手段
２５      塗装部位データファイル
２６      選択色表示部
２７      色演算プログラム
２８      塗料色抽出手段
２９      選択色・塗料色提供手段
３０      テーブルデータベース
３１      演算手段
３２      塗料データベース
３３      色変換手段
３４      一覧表作成手段
３５      模様表示部提供手段
３６      模様データファイル
５０      建築物表示部
５１      選択色表示部
５１ａ    色相・彩度表示バー
５１ｂ    明度表示バー
５２      選択色・塗料色表示部
５３      一覧表表示部
５４      模様表示部
【図１】
2005258921.tif 000003
【図２】
2005258921.tif 000004
【図３】
2005258921.tif 000005
【図４】
2005258921.tif 000006
【図５】
2005258921.tif 000007
【図６】
2005258921.tif 000008
【図７】
2005258921.tif 000009